(57)【特許請求の範囲】
【請求項１】
ケーシングチューブを地中に押し込んで立坑掘削または基礎杭造成を行うオールケーシング掘削機において、周方向に分割された複数のバンドを備え隣接するバンド同士が支点ピン及び抜差ピンで連結されバンドを締め付けることでケーシングチューブを保持するケーシングチューブ締付装置と、ケーシングチューブ締付装置を回転自在且つ昇降自在に支持する本体と、ケーシングチューブ締付装置の本体に対する回転駆動を行う回転駆動手段と、ケーシングチューブ締付装置の昇降動を行う昇降駆動手段とを備えたことを特徴とするオールケーシング掘削機。
【請求項２】
ケーシングチューブを地中に対して埋め込みまたは引き抜きするためにケーシングチューブを締付保持するケーシングチューブ締付装置において、周方向に分割された複数のバンドを備え、隣接するバンド同士を支点ピン及び抜差ピンで連結し、抜差ピンが取り付けられている際には隣接するバンド同士が一体状態にされ、抜差ピンが取り外されている際には隣接するバンド同士が支点ピンを中心に回動自在状態にされていることを特徴とするケーシングチューブ締付装置。
【発明の詳細な説明】
【０００１】
【発明の属する技術分野】
本発明は、立坑掘削または基礎杭造成を行うオールケーシング掘削機、及びオールケーシング掘削機でケーシングチューブを締付保持するケーシングチューブ締付装置に関する。
【０００２】
【従来の技術】
地中に設けられる横抗の掘削や保守、点検等に使用する立抗を造設する際、オールケーシング掘削機を用いてケーシングチューブを地中に押し込み、ケーシングチューブによって立抗の孔壁を維持し、ケーシングチューブ内の土砂を掘削、排土している。
【０００３】
図４乃至図６に基づいて従来のオールケーシング掘削機及びケーシングチューブ締付装置を説明する。図４には従来のオールケーシング掘削機による掘削状況、図５には従来のケーシングチューブ締付装置を表す図４中のV-V 線矢視、図６には図５中のVI-VI 線矢視を示してある。
【０００４】
オールケーシング掘削機１の本体２には、ケーシングチューブ３を締付保持するケーシングチューブ締付装置４が設けられ、ケーシングチューブ３は締付シリンダ５の駆動によりケーシングチューブ締付装置４によって締付け保持される。本体２は油圧シリンダ６を介して架台７に昇降自在に支持され、油圧シリンダ６の駆動によりケーシングチューブ３は本体２と共に昇降動する。ケーシングチューブ締付装置４は本体２に回転自在に支持され、ケーシングチューブ締付装置４は駆動モータ８によって回転される。
【０００５】
ケーシングチューブ３の先端部（下端部）にはファーストチューブ１１が設けられ、ファーストチューブ１１には掘削刃１２が設けられ、掘削刃１２により地盤が円筒状に切断される。ケーシングチューブ３内の土砂はクラウンヘッド１３に吊り下げられた掘削バケット１４により掘削、排土される。
【０００６】
オールケーシング掘削機１で立抗を造設するに際し、オールケーシング掘削機１を立抗造設位置に設置し、ケーシングチューブ３をケーシングチューブ締付装置４に装着し、駆動モータ８の駆動によりケーシングチューブ締付装置４を回転または揺動させる。同時に、油圧シリンダ６の駆動により本体２を下降させ、ケーシングチューブ３を地中に押し込む。ファーストチューブ１１には掘削刃１２により地盤を円筒状に切断し、ケーシングチューブ３内の土砂を掘削バケット１２により掘削、排土し、立抗を形成する。
【０００７】
図５、図６に基づいて従来のケーシングチューブ締付装置４を説明する。ケーシングチューブ締付装置４は、駆動装置１５により駆動モータ８の駆動力が伝達され、歯車装置及び軸受を介して回転または揺動される。ケーシングチューブ締付装置４は、３分割されたバンドによりケーシングチューブ３を締め付け固定するようになっている。
【０００８】
即ち、ケーシングチューブ締付装置４は、１つの固定バンド２１と２つの可動バンド２２により構成され、固定バンド２１の両端には支点ピン２３を介してそれぞれの可動バンド２２の一端が回動自在に支持されている。それぞれの可動バンド２２の他端部同士は、支持ピン２４を介して締付シリンダ５に支持されている。
【０００９】
従って、締付シリンダ５の伸縮により固定バンド２１に対して可動バンド２２が開閉し、ケーシングチューブ３を開放または締め付けることができる。尚、図５中二点鎖線で示した状態は締付シリンダ５を縮めて可動バンド２２を閉じ、ケーシングチューブ３を締め付けている状態を示してある。
【００１０】
図７、図８に基づいてケーシングチューブ締付装置の他の例を説明する。図７にはケーシングチューブ締付装置の平面状態、図８には図７中のVIII-VIII 線矢視を示してあり、図７、図８は図５、図６に対応したものとなっている。このため、図５、図６に示した部材と同一部材には同一符号を付して重複する説明は省略してある。図示のケーシングチューブ締付装置３１は、５分割されたバンドによりケーシングチューブ３を締め付け固定するようになっている。
【００１１】
ケーシングチューブ締付装置３１は、１つの固定バンド２１と４つの可動バンド31a,31b,31c,31d により構成されている。固定バンド２１の両端には支点ピン２３を介して可動バンド31a,31d の一端が回動自在に支持され、可動バンド31a,31d の他端には可動バンド31b,31c の一端が支点ピン３２を介して回動自在に支持されている。更に、可動バンド31b,31c の他端部同士は、支持ピン３３を介して締付シリンダ５に支持されている。
【００１２】
従って、締付シリンダ５の伸縮により固定バンド２１に対して４つの可動バンド31a,31b,31c,31d が開閉し、ケーシングチューブ３を開放または締め付けることができる。尚、図７中二点鎖線で示した状態は締付シリンダ５を縮めて可動バンド31a,31b,31c,31d を閉じ、ケーシングチューブ３を締め付けている状態を示してある。
【００１３】
【発明が解決しようとする課題】
図５、図６に示したケーシングチューブ締付装置４を備えたオールケーシング掘削機１は、３分割されたバンドによりケーシングチューブ３を締め付け固定するようになっているので、ケーシングチューブ３の真円度が高い場合、及びケーシングチューブ３の外形寸法の精度が高く固定バンド２１と可動バンド２２で形成される内径ΦＤに近い場合には、近年採用されている剛性が劣る薄肉のケーシングチューブ３であっても優れた締付性能（保持性能）が得られる。しかし、ケーシングチューブ３の真円度が悪く外径寸法が小さい場合には、固定バンド２１と可動バンド２２が局部当たりした締付になるため、締付性能（保持性能）が劣ってしまう。
【００１４】
一方、図７、図８に示したケーシングチューブ締付装置３１を備えたオールケーシング掘削機では、５分割されたバンドによりケーシングチューブ３を締め付け固定するようになっているので、ケーシングチューブ３の真円度が悪く外径寸法が小さい場合であっても、４個の可動バンド31a,31b,31c,31d がケーシングチューブ３に沿って締付られ、優れた締付性能（保持性能）が得られる。しかし、ケーシングチューブ締付装置３１で剛性が劣る薄肉のケーシングチューブ３を締付ると、可動バンド31a,31b 及び可動バンド31c,31d 同士を連結している支点ピン３２の部分で可動バンドが屈曲し、ケーシングチューブ３を変形させてしまう虞があった。
【００１５】
上述したように、３分割されたバンドを備えたケーシングチューブ締付装置４は、真円度及び外径寸法の精度が高い場合と薄肉の場合のケーシングチューブ３を締付る際には締付性能（保持性能）が優れ、真円度が悪く外径寸法が小さい場合のケーシングチューブ３を締付る際には締付性能（保持性能）が劣る。これに対し、５分割されたバンドを備えたケーシングチューブ締付装置３１は、真円度が悪く外径寸法が小さい場合のケーシングチューブ３を締付る際には締付性能（保持性能）が優れ、薄肉の場合のケーシングチューブ３を締付る際には締付性能（保持性能）が劣る。
【００１６】
従って、従来のオールケーシング掘削機では、薄肉でしかも真円度が悪く外径寸法が小さいケーシングチューブ３を施工する場合、施工中に締付不良が生じて施工不能になる虞があった。また、使用するケーシングチューブ３の種類が多い場合、ケーシングチューブ締付装置４とケーシングチューブ締付装置３１とを用意する必要があり、コスト高となってしまう。
【００１７】
【課題を解決するための手段】
上記課題を解決するための本発明のオールケーシング掘削機の構成は、ケーシングチューブを地中に押し込んで立坑掘削または基礎杭造成を行うオールケーシング掘削機において、周方向に分割された複数のバンドを備え隣接するバンド同士が支点ピン及び抜差ピンで連結されバンドを締め付けることでケーシングチューブを保持するケーシングチューブ締付装置と、ケーシングチューブ締付装置を回転自在且つ昇降自在に支持する本体と、ケーシングチューブ締付装置の本体に対する回転駆動を行う回転駆動手段と、ケーシングチューブ締付装置の昇降動を行う昇降駆動手段とを備えたことを特徴とする。
【００１８】
また、上記課題を解決するための本発明のケーシングチューブ締付装置の構成は、ケーシングチューブを地中に対して埋め込みまたは引き抜きするためにケーシングチューブを締付保持するケーシングチューブ締付装置において、周方向に分割された複数のバンドを備え、隣接するバンド同士を支点ピン及び抜差ピンで連結し、抜差ピンが取り付けられている際には隣接するバンド同士が一体状態にされ、抜差ピンが取り外されている際には隣接するバンド同士が支点ピンを中心に回動自在状態にされていることを特徴とする。
【００１９】
【発明の実施の形態】
図１には本発明の一実施形態例に係るオールケーシング掘削機による掘削状況、図２には本発明の一実施形態例に係るケーシングチューブ締付装置を表す図１中のII-II 線矢視、図３には図２中のIII-III 線矢視を示してある。尚、図４に示した部材と同一部材には同一符号を付して重複する説明は省略してある。
【００２０】
オールケーシング掘削機４１の本体４２には、ケーシングチューブ３を締付保持するケーシングチューブ締付装置４３が設けられ、ケーシングチューブ３は締付シリンダ５の駆動によりケーシングチューブ締付装置４３によって締付け保持される。本体２は昇降駆動手段としての油圧シリンダ６を介して架台７に昇降自在に支持され、油圧シリンダ６の駆動によりケーシングチューブ３は本体２と共に昇降動する。ケーシングチューブ締付装置４３は本体２に回転自在に支持され、ケーシングチューブ締付装置４３は回転駆動手段としての駆動モータ８によって回転される。
【００２１】
ケーシングチューブ３の先端部（下端部）にはファーストチューブ１１が設けられ、ファーストチューブ１１には掘削刃１２が設けられ、掘削刃１２により地盤が円筒状に切断される。ケーシングチューブ３内の土砂はクラウンヘッド１３に吊り下げられた掘削バケット１４により掘削、排土される。
【００２２】
オールケーシング掘削機４１で立抗を造設するに際し、オールケーシング掘削機４１を立抗造設位置に設置し、ケーシングチューブ３をケーシングチューブ締付装置４３に装着し、駆動モータ８の駆動によりケーシングチューブ締付装置４３を回転または揺動させる。同時に、油圧シリンダ６の駆動により本体２を下降させ、ケーシングチューブ３を地中に押し込む。ファーストチューブ１１には掘削刃１２により地盤を円筒状に切断し、ケーシングチューブ３内の土砂を掘削バケット１２により掘削、排土し、立抗を形成する。
【００２３】
図２、図３に基づいて本発明の一実施形態例に係るケーシングチューブ締付装置４３を説明する。ケーシングチューブ締付装置４３は、駆動装置１５により駆動モータ８の駆動力が伝達され、歯車装置及び軸受を介して回転または揺動される。ケーシングチューブ締付装置４３は、５分割されたバンドによりケーシングチューブ３を締め付け固定するようになっている。
【００２４】
ケーシングチューブ締付装置４３は、１つの固定バンド４４と４つの可動バンド45a,45b,45c,45d により構成されている。固定バンド４４の両端には支点ピン４６を介して可動バンド45a,45d の一端が回動自在に支持され、可動バンド45a,45d の他端には可動バンド45b,45c の一端が支点ピン４７を介して回動自在に支持されている。また、可動バンド45a,45d の他端と可動バンド45b,45c の一端とは、抜差ピン４８で連結されている。更に、可動バンド45b,45c の他端部は、支持ピン４９を介して締付シリンダ５にそれぞれ支持されている。
【００２５】
抜差ピン４８が取り付けられている際には、隣接する可動バンド45a,45b と可動バンド45c,45d 同士が一体状態にされて支点ピン４７を中心とした回動が規制され、固定バンド４４、可動バンド45a,45b の組、可動バンド45c,45d の組の３分割された状態になる。抜差ピン４８が取り外されている際には、隣接する可動バンド45a,45b と可動バンド45c,45d 同士が支点ピン４７を中心に回動自在状態にされ、固定バンド４４、可動バンド45a 、可動バンド45b 、可動バンド 45c及び可動バンド45d の５分割された状態になる。
【００２６】
ケーシングチューブ締付装置４３を備えたオールケーシング掘削機４１では、抜差ピン４８が取り付けられている状態で締付シリンダ５が伸縮すると、一体状態となった可動バンド45a,45b の組と一体状態になった可動バンド45c,45d の組とが開閉し、３分割のバンドでケーシングチューブ３を開放または締め付けることができる。
【００２７】
従って、ケーシングチューブ３の真円度が高い場合、及びケーシングチューブ３の外形寸法の精度が高く固定バンド４４と可動バンド４５で形成される内径ΦＤに近い場合には、薄肉のケーシングチューブ３であっても優れた締付性能（保持性能）が得られる。尚、図２中二点鎖線Ａで示した状態は締付シリンダ５を縮めて一体状態となった可動バンド45a,45b の組と一体状態になった可動バンド45c,45d の組を閉じ、ケーシングチューブ３を締め付けている状態を示してある。
【００２８】
また、ケーシングチューブ締付装置４３を備えたオールケーシング掘削機４１では、抜差ピン４８が取り外されている状態で締付シリンダ５が伸縮すると、隣接する可動バンド45a,45b と可動バンド45c,45d 同士が支点ピン４７を中心に回動自在となり、可動バンド45a,45b,45c,45d がそれぞれ開閉し、５分割のバンドでケーシングチューブ３を開放または締め付けることができる。
【００２９】
従って、ケーシングチューブ３の真円度が悪く外径寸法が小さい場合であっても、４個の可動バンド45a,45b,45c,45d がケーシングチューブ３に沿って締付られ、優れた締付性能（保持性能）が得られる。尚、図２中二点鎖線Ｂで示した状態は締付シリンダ５を縮めて可動バンド45a,45b,45c,45d を閉じ、ケーシングチューブ３を締め付けている状態を示してある。
【００３０】
上述したケーシングチューブ締付装置４３は、抜差ピン４８の取付け及び取り外しにより、３分割のバンドでケーシングチューブ３を開放または締め付ける状態と、５分割のバンドでケーシングチューブ３を開放または締め付ける状態とを選択することができる。このため、薄肉で真円度が高く、しかも外形寸法の精度が高く固定バンド４４と可動バンド４５で形成される内径ΦＤに近いケーシングチューブ３に対応できると共に、真円度が悪く外径寸法が小さいケーシングチューブ３にも対応できる。
【００３１】
従って、上述したオールケーシング掘削機４１は、各種のケーシングチューブ３に対して１台のケーシングチューブ締付装置４３で施工が可能となり、汎用性が高く、締付性能（保持性能）に優れた高性能のケーシングチューブ締付装置４３を備えたものとなる。
【００３２】
尚、上記実施形態例では、抜差ピン４８の取付け及び取り外しにより、３・５分割のバンドを兼用するケーシングチューブ締付装置４３について説明したが、固定バンド４４と６個の可動バンド４５との組み合わせにより、３・５・７分割のバンドを兼用するケーシングチューブ締付装置としたり、固定バンド４４と８個の可動バンド４５との組み合わせにより、３・５・７・９分割のバンドを兼用するケーシングチューブ締付装置とすることも可能であり、それ以上の分割のバンドを兼用することも可能である。
【００３３】
【発明の効果】
本発明のオールケーシング掘削機は、ケーシングチューブを地中に押し込んで立坑掘削または基礎杭造成を行うオールケーシング掘削機において、周方向に分割された複数のバンドを備え隣接するバンド同士が支点ピン及び抜差ピンで連結されバンドを締め付けることでケーシングチューブを保持するケーシングチューブ締付装置と、ケーシングチューブ締付装置を回転自在且つ昇降自在に支持する本体と、ケーシングチューブ締付装置の本体に対する回転駆動を行う回転駆動手段と、ケーシングチューブ締付装置の昇降動を行う昇降駆動手段とを備えたので、抜差ピンの取付け及び取り外しにより、任意の分割のバンドを兼用することが可能となり、各種のケーシングチューブに対して１台のケーシングチューブ締付装置で施工が可能となる。この結果、汎用性が高く、締付性能（保持性能）に優れた高性能のケーシングチューブ締付装置を備えたオールケーシング掘削機とすることが可能となる。
【００３４】
本発明のケーシングチューブ締付装置は、ケーシングチューブを地中に対して埋め込みまたは引き抜きするためにケーシングチューブを締付保持するケーシングチューブ締付装置において、周方向に分割された複数のバンドを備え、隣接するバンド同士を支点ピン及び抜差ピンで連結し、抜差ピンが取り付けられている際には隣接するバンド同士が一体状態にされ、抜差ピンが取り外されている際には隣接するバンド同士が支点ピンを中心に回動自在状態にされているようにしたので、抜差ピンの取付け及び取り外しにより、任意の分割のバンドを兼用することが可能となる。この結果、各種のケーシングチューブに対して１台のケーシングチューブ締付装置で施工が可能となり、コスト低減が可能となる。
【図面の簡単な説明】
【図１】本発明の一実施形態例に係るオールケーシング掘削機による掘削状況説明図。
【図２】図１中のII-II 線矢視図。
【図３】図２中のIII-III 線矢視図。
【図４】従来のオールケーシング掘削機による掘削状況説明図。
【図５】図４中のV-V 線矢視図。
【図６】図５中のVI-VI 線矢視図。
【図７】ケーシングチューブ締付装置の平面図。
【図８】図７中のVIII-VIII 線矢視図。
【符号の説明】
３  ケーシングチューブ
５  締付シリンダ
６  油圧シリンダ
８  駆動モータ
４１  オールケーシング掘削機
４２  本体
４３  ケーシングチューブ締付装置
４４  固定バンド
45a,45b,45c,45d   可動バンド
４６，４７  支点ピン
４８  抜差ピン
【図１】
0003739939.tif 000002
【図２】
0003739939.tif 000003
【図３】
0003739939.tif 000004
【図４】
0003739939.tif 000005
【図５】
0003739939.tif 000006
【図６】
0003739939.tif 000007
【図７】
0003739939.tif 000008
【図８】
0003739939.tif 000009